(57)【特許請求の範囲】
【請求項１】
上下両端に上アームと下アームを設けて略コ字状にハンガー支持体を形成すると共にハンガー支持体に先端が自由端となったハンガーを上下アームと同じ向きで略水平方向に突設し、車体に形成した開口部にハンガーの先端を向けてハンガー支持体を収納する収納庫を車体に設け、ハンガー支持体の上アームと収納庫の天井面との間にハンガー支持体移動手段を設けると共に、床面を転動する複数のローラを下アームに設けて形成されるハンガー支持体移動手段をハンガー支持体の下アームと収納庫の床面との間に設けることによって、ハンガーが開口部から出し入れされる方向にハンガー支持体を収納庫内に移動自在に形成し、ハンガーに掛けられた被除菌物を除菌する除菌手段を収納庫に設けると共に、車体に車体を走行自在にする車輪を設けて成ることを特徴とする除菌装置。
【請求項２】
収納庫の天井面を転動するローラをハンガー支持体の上アームに設けることによって、ハンガー支持体の上アームと収納庫の天井面との間のハンガー支持体移動手段を形成して成ることを特徴とする請求項１に記載の除菌装置。
【請求項３】
収納庫の天井面に設けた係合溝に移動自在に係合する係合部をハンガー支持体の上アームに設けることによって、ハンガー支持体の上アームと収納庫の天井面との間のハンガー支持体移動手段を形成して成ることを特徴とする請求項１に記載の除菌装置。
【請求項４】
ハンガー支持体を複数設けると共にこれらを相互に連結して成ることを特徴とする請求項１乃至３のいずれかに記載の除菌装置。
【請求項５】
ハンガーの下部に網棚を設置して成ることを特徴とする請求項１乃至４のいずれかに記載の除菌装置。
【請求項６】
被除菌物を除菌する除菌手段が、加熱手段、紫外線照射手段、オゾン発生手段のうち少なくとも１つの手段であることを特徴とする請求項１乃至５のいずれかに記載の除菌装置。
【請求項７】
車輪を駆動する動力を具備して成ることを特徴とする請求項１乃至６のいずれかに記載の除菌装置。
【発明の詳細な説明】
【０００１】
【発明の属する技術分野】
本発明は、病院などで使用される寝具等の被除菌物を除菌（殺菌）する除菌装置に関するものである。
【０００２】
【従来の技術】
病院などにおいては、マットレス等の寝具は細菌やダニなどの温床となるおそれがあるので、頻繁に除菌する必要がある。そこでこのような寝具を除菌する装置として、従来から特開昭６１−１５３４８５号公報、特開昭６４−４３２５６号公報、特開平６−３２７７４８号公報などで提供されているものがある。
【０００３】
しかしこれらの除菌装置で病室の寝具を除菌するにあたっては、各病室から寝具を除菌装置が設置された場所まで運搬し、除菌が終了した後、寝具を各病室に戻すための運搬を行う必要があり、寝具の運搬に多大の労力を必要とする問題があった。また寝具をこのように運搬する間に、寝具に付着する細菌やダニを飛散させてしまうおそれがあるという問題もあった。
【０００４】
そこでこのような問題を解決するために本発明者は以前、特願２０００−３０５１４２において移動式のマットレス殺菌装置を提供している。
【０００５】
【発明が解決しようとする課題】
上記マットレス殺菌装置によって、マットレスをベッドから遠くへ運搬するような必要がなくなったものであるが、敷き布団や掛け布団等の布団もマットレスと同様に除菌することができれば、非常に便利である。ところが、布団はマットレスと違って縦置きにすることができず、壁面に立て掛けてもすぐに形が崩れてしまうものであり、しかもかなりの重量がある。そのため従来の除菌装置では布団を広げて支えるのが難しい上に、布団のような重量物の出し入れが非常に面倒であるという問題があった。
【０００６】
本発明は上記の点に鑑みてなされたものであり、寝具等の被除菌物を運搬する必要がなく、しかも被除菌物を容易に出し入れすることができる除菌装置を提供することを目的とするものである。
【０００７】
【課題を解決するための手段】
本発明の請求項１に係る除菌装置は、上下両端に上アーム１９と下アーム２０を設けて略コ字状にハンガー支持体３を形成すると共にハンガー支持体３に先端が自由端となったハンガー２を上下アーム１９，２０と同じ向きで略水平方向に突設し、車体４に形成した開口部５にハンガー２の先端を向けてハンガー支持体３を収納する収納庫６を車体４に設け、ハンガー支持体３の上アーム１９と収納庫６の天井面７との間にハンガー支持体移動手段を設けると共に、床面を転動する複数のローラ１１を下アーム２０に設けて形成されるハンガー支持体移動手段をハンガー支持体３の下アーム２０と収納庫６の床面８との間に設けることによって、ハンガー２が開口部５から出し入れされる方向にハンガー支持体３を収納庫６内に移動自在に形成し、ハンガー２に掛けられた被除菌物１を除菌する除菌手段を収納庫６に設けると共に、車体４に車体４を走行自在にする車輪９を設けて成ることを特徴とするものである。
【０００９】
また請求項２の発明は、請求項１において、収納庫６の天井面７を転動するローラ１０をハンガー支持体３の上アーム１９に設けることによって、ハンガー支持体３の上アーム１９と収納庫６の天井面７との間のハンガー支持体移動手段を形成して成ることを特徴とするものである。
【００１０】
また請求項３の発明は、請求項１において、収納庫６の天井面７に設けた係合溝１２に移動自在に係合する係合部１３をハンガー支持体３の上アーム１９に設けることによって、ハンガー支持体３の上アーム１９と収納庫６の天井面７との間のハンガー支持体移動手段を形成して成ることを特徴とするものである。
【００１１】
また請求項４の発明は、請求項１乃至３のいずれかにおいて、ハンガー支持体３を複数設けると共にこれらを相互に連結して成ることを特徴とするものである。
【００１２】
また請求項５の発明は、請求項１乃至４のいずれかにおいて、ハンガー２の下部に網棚１４を設置して成ることを特徴とするものである。
【００１３】
また請求項６の発明は、請求項１乃至５のいずれかにおいて、被除菌物１を除菌する除菌手段が、加熱手段、紫外線照射手段、オゾン発生手段のうち少なくとも１つの手段であることを特徴とするものである。
【００１４】
また請求項７の発明は、請求項１乃至６のいずれかにおいて、車輪９を駆動する動力を具備して成ることを特徴とするものである。
【００１５】
【発明の実施の形態】
以下、本発明の実施の形態を説明する。
【００１６】
図１は本発明に係る除菌装置を示すものであり、車体４の下部の台車１５の下面に車輪９を設けて走行自在に形成してある。車輪９は駆動車輪９ａと従動車輪９ｂからなるものであり、車体４の下部に設けたモータを動力として、これによって駆動車輪９ａを回転駆動させることにより、車体４を自走させることができるようにしてある。
【００１７】
車体４は前後方向に長い直方体形状の外形に形成してあり、その前面は開口部５として開口させてある。この開口部５には水平回動される一対の扉１６が取り付けてあり、扉１６によって開口部５を開閉できるようにしてある。そして図６に示すように、車体４の内部に収納庫６が形成してある。収納庫６の前端はこの開口部５において開口されていると共に、後端は車体４の端壁１７で閉塞されているものである。
【００１８】
収納庫６内には、複数のハンガー支持体３を収納してある。各ハンガー支持体３は図２に示すように、略鉛直方向に配される支持柱１８の両端から上アーム１９と下アーム２０とを水平方向の同じ向きに突設させることによって、略コ字状に形成してある。さらに支持柱１８の上下のアーム１９，２０の間には、上下のアーム１９，２０と略同じ向きに棒状のハンガー２を突設してある。このハンガー２は上アーム１９から所定の間隔を置いて、上アーム１９寄りに形成してあり、ハンガー２の長さは２０００〜２１００ｍｍ程度、つまり敷き布団や掛け布団等の布団２１の長手方向の長さと略等しくしてある。一方、上アーム１９の長さは、ハンガー２に布団２１を掛ける際に上アーム１９が邪魔にならないように、ハンガー２の長さよりも短くしてある。ハンガー２と上アーム１９との間隔は具体的には、布団２１の厚みと同じかあるいはそれよりも若干広めにしてある。なお、本発明の実施の形態においては、特に示さない限り、被除菌物１を布団２１として説明するが、これに限定されるものではない。
【００１９】
支持柱１８から所定間隔離れたハンガー２の下部と支持柱１８の側面とを支持片２２で連結することによって、ハンガー２に布団２１を掛けたときにハンガー２が撓まないようにしてある。また、支持柱１８から所定間隔離れた上アーム１９の下部とハンガー２の上部とを補強片２３によって連結してもよく、これによってハンガー２を一層撓みにくくすることができるものである。ここで、ハンガー２の先端は自由な状態にあるが、つまりハンガー２の先端は自由端であるが、例えば図２において想像線で示すように、下アーム２０の長さをハンガー２の長さと略等しくすると共に下アーム２０の先端から補強柱２４を延設し、この補強柱２４とハンガー２の先端とを連結して、ハンガー２、支持柱１８、下アーム２０及び補強柱２４が形成する形状が略ロ字状となるようにすると、ハンガー２の先端は自由な状態から固定された状態となり、つまりハンガー２の先端は自由端から固定端に変わり、ハンガー２の両端はそれぞれ支持柱１８及び補強柱２４で固定されることによって、ハンガー２の強度を向上させることができるものであり、布団２１のような重量物を掛けたときのハンガー２の撓みをさらに抑制することができるものである。
【００２０】
ハンガー支持体３は、ハンガー２の先端が車体４の開口部５に向くようにして、収納庫６内に収納されている。そしてハンガー支持体３の上部と収納庫６の天井面７との間及びハンガー支持体３の下部と収納庫６の床面８との間には、それぞれ以下のようなハンガー支持体移動手段を設けてある。
【００２１】
ハンガー支持体３の上部と収納庫６の天井面７との間に設けるハンガー支持体移動手段としては、図３のように形成することができる。すなわち図３において、上アーム１９の上面には所定の間隔を置いてローラ取付部２５を複数設けてある。各ローラ取付部２５には上アーム１９の長手方向に回動するローラ１０を枢着してあり、各ローラ１０の外周面には案内溝２６が凹設してある。また収納庫６の天井面７には、収納庫６の前端から後端にかけて上ガイドレール２７が突設してある。そして上アーム１９に設けたローラ１０の案内溝２６に、収納庫６の天井面７に設けた上ガイドレール２７を嵌め込むことによって、ハンガー支持体移動手段を形成している。なお、上アーム１９に設けるローラ１０は１つでもよい。
【００２２】
あるいは、ハンガー支持体３の上部と収納庫６の天井面７との間に設けるハンガー支持体移動手段としては、図５のように形成することもできる。すなわち図５において、上アーム１９の上面には所定の間隔を置いて係合部１３を複数設けてある。各係合部１３には、上アーム１９の長手方向と略垂直方向において、一対の係合片２８が相互に反対向きに突設してある。また収納庫６の天井面７には、収納庫６の前端から後端にかけて一対の受け片２９を対向させて設けてある。対向する一対の受け片２９は、上記一対の係合片２８の先端間の長さよりも短い隙間をあけて係合溝１２を形成してある。そして一対の係合片２８をそれぞれ受け片２９の上面に載せて、上アーム１９に設けた係合部１３を収納庫６の天井面７に設けた係合溝１２に係合することによって、ハンガー支持体移動手段を形成している。なお、上アーム１９に設ける係合部１３は１つでもよい。
【００２３】
一方、ハンガー支持体３の下部と収納庫６の床面８との間に設けるハンガー支持体移動手段としては、図４のように形成することができる。すなわち図４において、下アーム２０の下面には所定の間隔を置いてローラ取付部３０を複数設けてある。各ローラ取付部３０には下アーム２０の長手方向に回動するローラ１１を枢着してあり、各ローラ１１の外周面には案内溝３１が凹設してある。また収納庫６の床面８には、収納庫６の前端から後端にかけて下ガイドレール３２が突設してある。そして下アーム２０に設けたローラ１１の案内溝３１に、収納庫６の床面８に設けた下ガイドレール３２を嵌め込むことによって、ハンガー支持体移動手段を形成している。
【００２４】
このようにハンガー支持体３は、収納庫６の天井面７及び床面８との間にそれぞれハンガー支持体移動手段を形成して、収納庫６内に収納されている。そしてハンガー２を引っ張ったり押し込んだりすることによって、上アーム１９に設けたローラ１０が上ガイドレール２７に沿って収納庫６の天井面７を転動すると共に下アーム２０に設けたローラ１１が下ガイドレール３２に沿って収納庫６の床面８を転動することとなり、ハンガー支持体３を収納庫６内において前後方向に移動自在にすることができ、ハンガー支持体３に設けたハンガー２を車体４の開口部５から出し入れすることが容易に行えるものである。なお、図５に示すハンガー支持体移動手段を採用する際には、ハンガー２を引っ張ったり押し込んだりすることによって、上アーム１９に設けた係合部１３が収納庫６の天井面７に設けた係合溝１２に係合した状態を維持しつつ、下アーム２０に設けたローラ１１が下ガイドレール３２に沿って収納庫６の床面８を転動することとなり、ハンガー支持体３を収納庫６内において前後方向に安定して移動させることができると共に、ハンガー支持体３に設けたハンガー２を車体４の開口部５から出し入れすることが容易に行えるものである。
【００２５】
ここで、車体４の開口部５には図２に示すようにストッパー３３が設けてある。このストッパー３３は、開口部５の上縁部の高さを上アーム１９とハンガー２との間の高さにすることによって形成してある。ただし、ハンガー２と開口部５の上縁部との間には、敷き布団や掛け布団等の布団２１の厚みと同じかあるいはそれよりも若干広めの隙間をあけてある。上記のようにストッパー３３を形成しておくと、ハンガー２を所定の長さ引き出したときに、上アーム１９の先端が開口部５の上縁部の内面に当接することによって、ハンガー支持体３が収納庫６から飛び出して分離するのを防止することができるものである。図５に示すハンガー支持体移動手段を採用する際には、車体４の開口部５付近において、対向する一対の受け片２９を結合して係合溝１２を無くすことによってストッパー３３を形成することができる。なお、図６〜図８においてストッパー３３は図示省略している。
【００２６】
本発明の実施の形態においては、上アーム１９の長さを３００〜４００ｍｍ程度にして、ハンガー支持体３がストッパー３３によって止まったときに、ハンガー２が車体４の開口部５から１７００ｍｍ程度引っ張り出されているようにしてある。このようにハンガー２が１７００ｍｍ程度車体４から突き出ていると、布団２１を掛けるのが容易となる。しかし、上アーム１９の長さを３００〜４００ｍｍ程度よりも短くして、車体４から突き出るハンガー２の長さを１７００ｍｍ程度よりも長くすると、ハンガー２の強度を高く得ることができないおそれがある。
【００２７】
一般に布団２１をハンガー２に掛ける場合には、布団２１の幅方向に折り目ができるように掛ける掛け方と、布団２１の長手方向に折り目ができるように掛ける掛け方の２通りの掛け方がある。前者の掛け方では、車体４から突き出るハンガー２の長さを短くしてハンガー２の撓みをさらに防止することができるが、その反面前者の掛け方は、後者の掛け方よりも、布団２１がハンガー２から長く垂れ下がることとなるため、布団２１が収納庫６の床面８につかないようにハンガー２の高さを高くしなければならず、女性などにとっては布団２１を掛ける作業がやりづらくなるものである。一方、後者の掛け方では、前者の掛け方よりもハンガー２の高さを低くすることができるので、背の低い女性などでも容易に布団２１を掛けることができるものであり、本発明はこの後者の掛け方をするのに適している。また後者の掛け方では前者の掛け方よりも必然的に、車体４から突き出るハンガー２の長さを長くしなければならないが、本発明においては、上アーム１９に設けたローラ１０が常に上ガイドレール２７に嵌まり込んでいると共に下アーム２０に設けたローラ１１も常に下ガイドレール３２に嵌まり込んでいるので、ハンガー２を設けたハンガー支持体３を上下において支持することができ、布団２１のような重量物を掛ける場合であっても、ハンガー２の強度を十分に確保することができるものである。なお、図５に示すハンガー支持体移動手段を採用する際にも、上アーム１９に設けた係合部１３が常に収納庫６の天井面７に設けた係合溝１２に係合していると共に下アーム２０に設けたローラ１１も常に下ガイドレール３２に嵌まり込んでいるので、ハンガー２を設けたハンガー支持体３を上下において支持することができ、布団２１のような重量物を掛ける場合であっても、ハンガー２の強度を十分に確保することができるものである。
【００２８】
収納庫６内に複数のハンガー支持体３を収納する場合、各ハンガー支持体３はそれぞれ独立して収納庫６内を移動させることもできるが、複数のハンガー支持体３を相互に連結することもできる。例えば図１（ｂ）に示すものにあっては、複数のハンガー支持体３の支持柱１８間及び下アーム２０間に連結片３４を架設することによって、複数のハンガー支持体３を相互に連結してある。このようにしておくと、複数のハンガー２のうちどれか１つのハンガー２を引っ張ったり押し込んだりすることによって、一度に複数のハンガー支持体３を収納庫６内において前後方向に移動自在にすることができ、従って複数のハンガー２の出し入れも一度に行えるものである。
【００２９】
またハンガー２に布団２１を掛ける作業者は通常、ハンガー２の側方に立ち、その位置からハンガー２を介して反対側に向けて布団２１を掛けるが、この場合にはハンガー２を通じてハンガー支持体３に横向きの力が作用し、ハンガー支持体３が傾くおそれがある。布団２１の重量がかなりある場合にはそれだけ大きな力が作用するものであるが、上記のように複数のハンガー支持体３を相互に連結しておくと、横向きの力を複数のハンガー支持体３で受けることができ、独立した１つのハンガー支持体３の場合よりも傾きを抑制することができると共に、ハンガー支持体３の出し入れを安定して行うことができるものである。
【００３０】
またハンガー２の下部には網棚１４を設置してある。この網棚１４は具体的には、収納庫６の床面８と略同じあるいは収納庫６の床面８よりも小さい矩形状に形成してあり、複数のハンガー支持体３の下アーム２０間に掛け渡すように置いてある。そしてハンガー２を引っ張ったり押し込んだりすることによって、網棚１４もハンガー支持体３と共に収納庫６内において前後方向に移動自在にすることができ、下アーム２０の上面に載置した網棚１４を車体４の開口部５から出し入れすることができるものである。このように網棚１４を設置することによって、図７に示すように網棚１４の上にマットレス３５を縦置きにするなどして載置することが可能になると共に、枕等の寝具も載置することが可能になるものである。
【００３１】
収納庫６には、収納した布団２１を除菌する除菌手段が設けてある。この除菌手段としては任意の手段を採用することができるものであるが、本発明においては、加熱手段、紫外線照射手段、オゾン発生手段のうち少なくとも１つの手段を採用するのが好ましい。その理由は、上記いずれの手段も除菌剤を使用せず、衛生的であるからである。除菌手段として加熱手段を用いる場合、例えば電気の通電で発熱する電気ヒーター３６で加熱手段を形成することができる。このヒーター３６としては、パネルの全面を発熱面として形成したパネルヒーターを用いることができるものであり、図６に示すように、収納庫６の内壁面において端壁１７にヒーター３６を配置して取り付けてある。また、収納庫６の前面開口となる開口部５を開閉する一対の各扉１６にも、その背面にヒーター３６を配置して取り付けてある。ヒーター３６は上記のように収納庫６内に露出するように配置するほか、端壁１７の内部にヒーター３６を配置して収納庫６内に露出しないようにしてもよい。
【００３２】
また除菌手段として紫外線照射手段を用いる場合、例えば紫外線を照射する紫外線ランプ３８で紫外線照射手段を形成することができる。そして図６に示すように、車体４の左右の側壁３７に紫外線ランプ３８を配置して取り付けてある。なお、加熱手段であるヒーター３６及び紫外線照射手段である紫外線ランプ３８を取り付ける箇所は、側壁３７、端壁１７、扉１６のうちいずれの箇所であってもよい。
【００３３】
また、本発明の実施の形態においては、除菌手段としてオゾン発生手段を用いている。具体的には車体４の天井壁３９の裏側にはオゾン発生装置４０が配設してあり、オゾン発生装置４０は図８のように吸気路４１と排気路４２によって収納庫６に接続してある。オゾン発生装置４０内には吸気ファン４３が設けてあり、収納庫６内の空気を吸気路４１から吸い込んだ後に排気路４２から収納庫６に戻すようにして、収納庫６とオゾン発生装置４０の間で循環させるようにしてある。なお、図８においてハンガー支持体３は図示省略している。
【００３４】
上記のように形成される除菌装置にあって、モータによって車輪９の駆動車輪９ａを回転駆動させることによって車体４を自走させることができるものであり、例えば病院内で使用するにあたって、病室の近くまで車体４を自走させて移動させた状態で、病室に設置されたベッドの布団２１の除菌を行うことができるものである。従って、布団２１を病室から遠くへ運搬するような必要がなくなり、布団２１の運搬に多大の労力を必要とすることがなくなると共に、布団２１をこのように運搬する間に、布団２１に付着する細菌やダニを飛散させてしまうようなこともなくなるものである。ここで車体４の車輪９を駆動するモータとしてＤＣサーボモータを用い、車体４に設けたハンドル（図示省略）等の操作部に加えられた外力を検出して推進方向と操舵方向の各外力を検知すると共に、各方向の外力に応じた補助力をＤＣサーボモータから車輪９に出力させるようにした制御手段を設けることによって、特開平８−２８２４９８号公報や特開平９−１０９８９２号公報に開示されるようないわゆるパワーアシストで、車体４の微妙な運転操作で容易に走行させることができるものである。
【００３５】
図９は車体４の前面の上部に設けられた操作パネル４４を示すものであり、電源スイッチ４５をオンにすることによって、ヒーター３６、紫外線ランプ３８、オゾン発生装置４０などへの電源供給が可能になるようにしてある。そしてこの電源スイッチ４５は、キー（鍵）を鍵穴４６に差込んでロックを外した状態で、回動筒部４７を回してオン・オフ操作することが可能になるロック機構付のスイッチで形成してあり、キーを持っていない第三者は電源スイッチ４５をオン・オフ操作することができないようにしてある。従って、病院など公衆が出入りする場所においていたずらをされるような危険を予め防ぐことができるものである。キーは鍵穴４６の向きが「切」、「入」のいずれを向いているときにも抜くことができるようにしてあり、鍵穴４６が「入」に向くように回すことによって、電源をオンにして運転を開始した後に、キーを鍵穴４６から抜いておくことによって、第三者が電源を切断するいたずらなどを防ぐことができるようにしてある。また扉１６が開いているときには電源がオフになる安全機構が設けてあり、扉１６が開いているときには操作パネル４４の扉開ランプ４８が点灯するようにしてある。
【００３６】
そして車体４を病室の近くに移動させた後、扉１６を開いてハンガー２を引っ張り出し、ハンガー２に布団２１を掛けてからハンガー２を押し込んで収納庫６に布団２１を収納する。布団２１はハンガー支持体３に設けたハンガー２に掛けられており、ハンガー支持体３はハンガー支持体移動手段によってスムーズに移動させることができるようになっている。特に、図３や図４に示すハンガー支持体移動手段を設けた場合には、上アーム１９に設けたローラ１０が収納庫６の天井面７を転動すると共に下アーム２０に設けたローラ１１が収納庫６の床面８を転動することによって、ハンガー支持体３をより軽い力でスムーズに移動させることができ、ハンガー支持体３の出し入れを容易に行うことができるものである。また車体４にはハンガー２を設けたハンガー支持体３が複数設けてあるので、病室に複数台のベッドが設置されているときに、複数台のベッドの布団２１を各ハンガー２に掛けて収納庫６に収納し、同時に一室分の複数枚の布団２１の除菌を行うことができるものである。
【００３７】
次に、扉１６を閉じた後、操作パネル４４の運転スイッチ４９を押してオンさせ、ヒーター３６に通電して発熱させると共に紫外線ランプ３８に通電して点灯させる。このように、運転スイッチ４９をオンにして収納庫６のヒーター３６を発熱させると共に紫外線ランプ３８を点灯することによって、ヒーター３６からの輻射熱で布団２１を加熱し、また紫外線ランプ３８から紫外線を布団２１に照射して、布団２１の除菌を行うことができるものである。布団２１を加熱除菌するにあたって、収納庫６に熱風を循環させて行うことも可能であるが、熱風を循環させる場合にはそのための大きなスペースが必要になって、車体４を大きくせざるを得ないが、このようにヒーター３６による輻射熱で加熱除菌をするようにすれば、大きなスペースが不要になって車体４をコンパクトに形成することが可能になるものである。
【００３８】
ここで、収納庫６の壁面（ヒーター３６が収納庫６の壁面の一部を構成するときにはヒーター３６の表面）に、加熱されることによって遠赤外線を発生する遠赤外線発生塗料が塗装してあり、ヒーター３６による加熱によって遠赤外線発生塗料から発生する遠赤外線で、布団２１の内部まで短時間で昇温させて、布団２１を内部まで加熱除菌することができるようにしてある。遠赤外線発生塗料としては、例えば、加熱させることによって遠赤外線を発生するセラミックスの粉末を混合した塗料を用いることができる。
【００３９】
ヒーター３６及び紫外線ランプ３８がこのようにオンされて加熱除菌及び紫外線照射除菌を開始すると、加熱・紫外線照射時間が操作パネル４４の加熱・紫外線照射時間表示器５０に表示され、加熱・紫外線照射終了までの時間が一目で確認できるようにしてある。すなわち、加熱・紫外線照射時間表示器５０は加熱及び紫外線照射の残り時間を表示するＬＥＤなどの複数のランプ５０ａ，５０ｂ，…から形成してある。そして、制御回路にはタイマーが設けてあり、運転スイッチ４９をオンにすると、ヒーター３６及び紫外線ランプ３８がオンになると共にランプ５０ａ，５０ｂ，…の総てが点灯し、また同時にタイマーが作動して所定の設定時間からの減算を開始し、残り時間に応じてランプ５０ａ，５０ｂ，…が順に消灯するようにしてある。またこのように運転スイッチ４９がオンされると、扉１６の電磁ロックが入って扉１６を開くことができないようになっている。この電磁ロックは電源スイッチ４５を切ることによって自動解除される。なお、運転スイッチ４９はオン操作のみができ、オフ操作はできないようにしてあり、また収納庫６内の昇温温度、ヒーター３６及び紫外線ランプ３８のオン時間は、制御回路の温度コントローラーやタイマーで自動制御されるようにして、設定変更ができないようにしてあり、誤使用やいたずらによる操作で、除菌処理不足になるようなことがないようにしてある。
【００４０】
ここで、車体４には多数枚のヒーター３６が設けてあり、ヒーター３６の一枚当りの容量は小さいので、ヒーター３６が一枚断線しても気付かないことが多く、この場合には十分な除菌ができない状態で布団２１を除菌処理してしまうおそれがある。そこで、ヒーター３６に通電される電流検知を行って断線を検出する電流検知機構が制御回路に設けてあり、ヒーター３６の断線が検知されると、操作パネル４４のヒーター断線ランプ５１が点灯し、ヒーター３６の断線を報知するようにしてある。
【００４１】
また、上記のように運転スイッチ４９をオンすると、オゾン発生装置４０が作動を開始し、オゾンが生成されると共に吸気ファン４３が作動するようになっている。布団２１を除菌するためには、収納庫６内の空気を吸気路４１からオゾン発生装置４０に吸引することによって、オゾンで除菌することができるものであり、この除菌した空気を排気路４２から収納庫６に戻すことによって、収納庫６内を除菌された状態に保持することができるものである。また、布団２１を収納庫６で除菌するために加熱したり紫外線を照射したりすると、布団２１から異臭が発生するが、収納庫６内の空気を吸気路４１からオゾン発生装置４０に吸引することによって、異臭をオゾンで酸化脱臭することができるものであり、この脱臭した空気を排気路４２から収納庫６に戻すことによって、収納庫６内を異臭のない状態に保持することができるものである。
【００４２】
そしてタイマーの計時による残り時間が零になると、加熱・紫外線照射時間表示器５０の終了ランプ５０ｅが点灯し、ヒーター３６及び紫外線ランプ３８への電源供給が停止されると共にオゾン発生装置４０の作動が停止し、また扉１６の電磁ロックが解除される。従って、扉１６を開いてハンガー２を引っ張り出すことによって、収納庫６内の除菌を終了した布団２１を開口部５を通して取り出すことができるものである。
【００４３】
【発明の効果】
上記のように本発明の請求項１に係る除菌装置は、上下両端に上アームと下アームを設けて略コ字状にハンガー支持体を形成すると共にハンガー支持体に先端が自由端となったハンガーを上下アームと同じ向きで略水平方向に突設し、車体に形成した開口部にハンガーの先端を向けてハンガー支持体を収納する収納庫を車体に設け、ハンガー支持体の上アームと収納庫の天井面との間にハンガー支持体移動手段を設けると共に、床面を転動する複数のローラを下アームに設けて形成されるハンガー支持体移動手段をハンガー支持体の下アームと収納庫の床面との間に設けることによって、ハンガーが開口部から出し入れされる方向にハンガー支持体を収納庫内に移動自在に形成し、ハンガーに掛けられた被除菌物を除菌する除菌手段を収納庫に設けると共に、車体に車体を走行自在にする車輪を設けているので、車体を走行させて病室などベッドを設置した場所の近くまで移動させた状態で、布団等の被除菌物の除菌を行うことができ、被除菌物をベッドから遠くへ運搬するような必要がなくなるものであり、しかもハンガー支持体移動手段によって、布団のようにかなりの重量がある被除菌物であっても、収納庫に収納したり収納庫から取り出したりすることを容易に行うことができるものである。
【００４５】
また請求項２の発明は、収納庫の天井面を転動するローラをハンガー支持体の上アームに設けることによって、ハンガー支持体の上アームと収納庫の天井面との間のハンガー支持体移動手段を形成しているので、ハンガー支持体をより軽い力でスムーズに移動させることができ、ハンガー支持体の出し入れを容易に行うことができるものである。
【００４６】
また請求項３の発明は、収納庫の天井面に設けた係合溝に移動自在に係合する係合部をハンガー支持体の上アームに設けることによって、ハンガー支持体の上アームと収納庫の天井面との間のハンガー支持体移動手段を形成しているので、ハンガー支持体をより軽い力でスムーズに、かつ安定して移動させることができ、ハンガー支持体の出し入れを容易に行うことができるものである。
【００４７】
また請求項４の発明は、ハンガー支持体を複数設けると共にこれらを相互に連結しているので、複数のハンガーで一度に複数枚の被除菌物を除菌することができると共に、ハンガー支持体が傾くのを抑制することができ、ハンガー支持体の出し入れを安定して行うことができるものである。
【００４８】
また請求項５の発明は、ハンガーの下部に網棚を設置しているので、被除菌物として布団だけでなく、マットレスや枕その他の寝具等も除菌することができるものである。
【００４９】
また請求項６の発明は、被除菌物を除菌する除菌手段が、加熱手段、紫外線照射手段、オゾン発生手段のうち少なくとも１つの手段であるので、被除菌物に付着する細菌やダニなどを確実に死滅させることができるものであり、しかも除菌剤を使用せず、上記いずれの手段も衛生的である。
【００５０】
また請求項７の発明は、車輪を駆動する動力を具備しているので、車輪をモータ等の動力で駆動させることによって車体を自走させることができ、車体を走行させて移動させることが容易になるものである。
【図面の簡単な説明】
【図１】本発明の実施の形態の一例を示すものであり、（ａ）（ｂ）はそれぞれ斜視図である。
【図２】同上の車体を示すものであり、（ａ）はハンガー支持体を引き出した状態の側面断面図、（ｂ）はハンガー支持体を収納した状態の側面断面図である。
【図３】同上のハンガー支持体移動手段を示すものであり、（ａ）は一部拡大した正面図、（ｂ）は一部拡大した側面図である。
【図４】同上のハンガー支持体移動手段を示すものであり、（ａ）は一部拡大した正面図、（ｂ）は一部拡大した側面図である。
【図５】同上のハンガー支持体移動手段の他例を示すものであり、（ａ）は一部拡大した正面図、（ｂ）は一部拡大した側面図である。
【図６】同上の車体に被除菌物として布団を収納した状態を示すものであり、（ａ）は正面図、（ｂ）は平面断面図である。
【図７】同上の車体に被除菌物としてマットレスを収納した状態を示す正面図である。
【図８】同上の車体を示す側面断面図である。
【図９】同上の操作パネルを示す正面図である。
【符号の説明】
１  被除菌物
２  ハンガー
３  ハンガー支持体
４  車体
５  開口部
６  収納庫
７  天井面
８  床面
９  車輪
１０  ローラ
１１  ローラ
１２  係合溝
１３  係合部
１４  網棚
１９  上アーム
２０  下アーム
【図１】
0003731557.tif 000002
【図２】
0003731557.tif 000003
【図３】
0003731557.tif 000004
【図４】
0003731557.tif 000005
【図５】
0003731557.tif 000006
【図６】
0003731557.tif 000007
【図７】
0003731557.tif 000008
【図８】
0003731557.tif 000009
【図９】
0003731557.tif 000010